(57)【要約】【課題】電気光学パネルの機種（特性）に合わせて適正に駆動させることが可能な電気光学装置、及び電子機器を提供する。【解決手段】フレキシブル配線基板２００の第１辺に近い側から第１ＦＰＣ接続端子部４５と、第１ＦＰＣ接続端子部４５と端子配列の異なる第２ＦＰＣ接続端子部４６との順に配置されており、液晶パネル１００のパネル接続端子部４１は、液晶パネル１００の機種に応じて第１ＦＰＣ接続端子部４５又は第２ＦＰＣ接続端子部４６と電気的に接続されている。【選択図】図１０
2013011788.tif 000002
【特許請求の範囲】
【請求項１】
第１パネル接続端子と第２パネル接続端子とを含む複数のパネル接続端子を有するパネル接続端子部が設けられた電気光学パネルと、
第１回路基板端子を含む複数の回路基板端子を有する第１回路基板端子部、および第２回路基板端子を含む複数の回路基板端子を有し前記第１回路基板端子部と端子配列が異なる第２回路基板端子部が設けられた回路基板と、
を有し、
前記第１回路基板端子部は、前記回路基板の第１辺に沿って配置され、前記第２回路基板端子部は、前記回路基板の前記第１辺と対向する第２辺と前記第１回路基板端子部との間に配置されており、
前記電気光学パネルと前記回路基板とが接続されたときに、前記第１パネル接続端子と前記第１回路基板端子とが接続されるか、又は前記第２パネル接続端子と前記第２回路基板端子とが接続されることを特徴とする電気光学装置。
【請求項２】
請求項１に記載の電気光学装置であって、
前記第１パネル接続端子と前記第２パネル接続端子とは、前記複数のパネル接続端子のうち低電位電源に接続されるパネル接続端子と電気的に接続され、
前記第１回路基板端子と前記第２回路基板端子とは、前記複数の回路基板端子のうち高電位電源に接続される回路基板端子と電気的に接続されることを特徴とする電気光学装置。
【請求項３】
請求項１に記載の電気光学装置であって、
前記回路基板は、前記第１回路基板端子部と前記第２辺側に第１距離だけ離間して複数の外部接続端子を有する第１外部接続端子部が設けられており、前記第２回路基板端子部と前記第２辺側に前記第１距離だけ離間して複数の外部接続端子を有する第２外部接続端子部が設けられていることを特徴とする電気光学装置。
【請求項４】
第１パネル接続端子を含む複数のパネル接続端子を有する第１パネル接続端子部、および第２パネル接続端子を含む複数のパネル接続端子を有し前記第１パネル接続端子部と端子配列が異なる第２パネル接続端子部が設けられた電気光学パネルと、
第１回路基板端子と第２回路基板端子とを含む複数の回路基板端子を有する回路基板端子部が設けられた回路基板と、
を有し、
前記第１パネル接続端子部は、前記電気光学パネルの第１辺に沿って配置され、前記第２パネル接続端子部は、前記電気光学パネルの前記第１辺と対向する第２辺と前記第１パネル接続端子部との間に配置されており、
前記電気光学パネルと前記回路基板とが接続されたときに、前記第１パネル接続端子と前記第１回路基板端子とが接続されるか、又は前記第２パネル接続端子と前記第２回路基板端子とが接続されることを特徴とする電気光学装置。
【請求項５】
請求項４に記載の電気光学装置であって、
前記第１パネル接続端子と前記第２パネル接続端子とは、前記複数のパネル接続端子のうち低電位電源に接続されるパネル接続端子と電気的に接続され、
前記第１回路基板端子と前記第２回路基板端子とは、前記複数の回路基板端子のうち高電位電源に接続される回路基板端子と電気的に接続されることを特徴とする電気光学装置。
【請求項６】
請求項１乃至請求項５のいずれか一項に記載の電気光学装置を備えたことを特徴とする電子機器。
【発明の詳細な説明】
【技術分野】
【０００１】
本発明は、機種情報を有する電気光学装置、及び電子機器に関する。
【背景技術】
【０００２】
上記電気光学装置の一つとして、例えば、液晶プロジェクターのライトバルブとして用いられるＴＦＴ（Thin Film Transistor）アクティブマトリクス駆動方式の液晶装置がある。液晶装置は、液晶パネル（パネルモジュール）の機種によって使用する液晶材料の種類や配向処理の条件（例えば、配向膜の種類や配向処理の方向など）が異なっている。このため、液晶装置の機種に応じて、例えば、適正な駆動信号を与える必要がある。
【０００３】
そこで、例えば、特許文献１に記載のように、フレキシブルプリント基板（ＦＰＣ）に設けられた端子間の電気的な接続の有無を異ならせることによって、検査工程において液晶パネルの種類を判別する方法が開示されている。
【先行技術文献】
【特許文献】
【０００４】
【特許文献１】特開２００７−７２２４４号公報
【発明の概要】
【発明が解決しようとする課題】
【０００５】
しかしながら、液晶パネル毎の特性に合わせて、液晶装置を適正に駆動させる（例えば、駆動調整やオフセット補正を行う）ことが容易ではない、言い換えれば、流動が複雑になるという課題があった。
【課題を解決するための手段】
【０００６】
本発明は、上記課題の少なくとも一部を解決するためになされたものであり、以下の形態又は適用例として実現することが可能である。
【０００７】
［適用例１］本適用例に係る電気光学装置は、第１パネル接続端子と第２パネル接続端子とを含む複数のパネル接続端子を有するパネル接続端子部が設けられた電気光学パネルと、第１回路基板端子を含む複数の回路基板端子を有する第１回路基板端子部、および第２回路基板端子を含む複数の回路基板端子を有し前記第１回路基板端子部と端子配列が異なる第２回路基板端子部が設けられた回路基板と、を有し、前記第１回路基板端子部は、前記回路基板の第１辺に沿って配置され、前記第２回路基板端子部は、前記回路基板の前記第１辺と対向する第２辺と前記第１回路基板端子部との間に配置されており、前記電気光学パネルと前記回路基板とが接続されたときに、前記第１パネル接続端子と前記第１回路基板端子とが接続されるか、又は前記第２パネル接続端子と前記第２回路基板端子とが接続されることを特徴とする。
【０００８】
この構成によれば、回路基板の第１回路基板端子部又は第２回路基板端子部を選択して電気光学パネルのパネル接続端子部と電気的に接続されているので、端子配列の異なる第１回路基板端子部又は第２回路基板端子部との接続により電気光学パネルの機種を容易に判別することが可能となり、電気光学パネル毎の特性に合わせて、電気光学装置を適正に駆動させることができる。
【０００９】
［適用例２］上記適用例に係る電気光学装置において、前記第１パネル接続端子と前記第２パネル接続端子とは、前記複数のパネル接続端子のうち低電位電源に接続されるパネル接続端子と電気的に接続され、前記第１回路基板端子と前記第２回路基板端子とは、前記複数の回路基板端子のうち高電位電源に接続される回路基板端子と電気的に接続されることが好ましい。
【００１０】
この構成によれば、低電位電源に接続されているパネル接続端子と、高電位電源に接続されている回路基板端子とが選択的に繋がるので、各端子に接続された配線の信号を「Ｈｉ」にしたり「Ｌｏｗ」にしたりすることが可能となる。これにより、パネル接続端子と回路基板端子との接続状態によって、電気光学パネルの機種を容易に判別することができる。
【００１１】
［適用例３］上記適用例に係る電気光学装置において、前記回路基板は、前記第１回路基板端子部と前記第２辺側に第１距離だけ離間して複数の外部接続端子を有する第１外部接続端子部が設けられており、前記第２回路基板端子部と前記第２辺側に前記第１距離だけ離間して複数の外部接続端子を有する第２外部接続端子部が設けられていることが好ましい。
【００１２】
この構成によれば、第１回路基板端子部に対して第１距離だけ離間して第１外部接続端子部が設けられ、第２回路基板端子部に対して同じく第１距離だけ離間して第２外部接続端子部が設けられているので、第１回路基板端子部を選択した場合は第２外部接続端子部の領域を切断し、第２回路基板端子部を選択した場合は第１回路基板端子部の領域を切断することにより、回路基板の長さを同じにすることができる。よって、第１回路基板端子部又は第２回路基板端子部のどちらを選択した場合でも、回路基板の長さを統一することができる。
【００１３】
［適用例４］本適用例に係る電気光学装置は、第１パネル接続端子を含む複数のパネル接続端子を有する第１パネル接続端子部、および第２パネル接続端子を含む複数のパネル接続端子を有し前記第１パネル接続端子部と端子配列が異なる第２パネル接続端子部が設けられた電気光学パネルと、第１回路基板端子と第２回路基板端子とを含む複数の回路基板端子を有する回路基板端子部が設けられた回路基板と、を有し、前記第１パネル接続端子部は、前記電気光学パネルの第１辺に沿って配置され、前記第２パネル接続端子部は、前記電気光学パネルの前記第１辺と対向する第２辺と前記第１パネル接続端子部との間に配置されており、前記電気光学パネルと前記回路基板とが接続されたときに、前記第１パネル接続端子と前記第１回路基板端子とが接続されるか、又は前記第２パネル接続端子と前記第２回路基板端子とが接続されることを特徴とする。
【００１４】
この構成によれば、電気光学パネルの第１パネル接続端子部又は第２パネル接続端子部を選択して回路基板の回路基板端子部と電気的に接続されているので、端子配列の異なる第１パネル接続端子部又は第２パネル接続端子部との接続により電気光学パネルの機種を容易に判別することが可能となり、電気光学パネル毎の特性に合わせて、電気光学装置を適正に駆動させることができる。
【００１５】
［適用例５］上記適用例に係る電気光学装置において、前記第１パネル接続端子と前記第２パネル接続端子とは、前記複数のパネル接続端子のうち低電位電源に接続されるパネル接続端子と電気的に接続され、前記第１回路基板端子と前記第２回路基板端子とは、前記複数の回路基板端子のうち高電位電源に接続される回路基板端子と電気的に接続されることが好ましい。
【００１６】
この構成によれば、低電位電源に接続されているパネル接続端子と、高電位電源に接続されている回路基板端子とが選択的に繋がるので、各端子に接続された配線の信号を「Ｈｉ」にしたり「Ｌｏｗ」にしたりすることが可能となる。これにより、パネル接続端子と回路基板端子との接続状態によって、電気光学パネルの機種を容易に判別することができる。
【００１７】
［適用例６］本適用例に係る電子機器は、上記に記載の電気光学装置を備えたことを特徴とする。
【００１８】
この構成によれば、上記した電気光学装置を備えているので、電気光学パネルの駆動を適正に補正することが可能となり、表示品質を向上させることができる電子機器を提供することができる。
【図面の簡単な説明】
【００１９】
【図１】第１実施形態の電気光学装置としての液晶装置の構成を模式的に示す斜視図。
【図２】液晶装置を構成する液晶パネルの構造を示す模式平面図。
【図３】図２に示す液晶パネルのＡ−Ａ'線に沿う模式断面図。
【図４】液晶パネルの電気的な構成を示す等価回路図。
【図５】液晶装置を構成する液晶パネルとフレキシブル配線基板との接続状態を示す模式平面図。
【図６】液晶パネル及びフレキシブル配線基板の接続前の状態を示す分解図。
【図７】液晶パネル及びフレキシブル配線基板の接続例を説明する模式平面図。
【図８】液晶装置の製造方法を工程順に示すフローチャート。
【図９】液晶装置の製造方法のうち一部の工程を示す模式平面図。
【図１０】液晶装置の製造方法のうち一部の工程を示す模式平面図。
【図１１】電子機器の一例として液晶プロジェクターの構成を示す模式図。
【図１２】第２実施形態の液晶パネルとフレキシブル配線基板との端子配列の具体例を示す模式平面図。
【図１３】パネル接続端子の変形例の構造を示す模式平面図。
【図１４】液晶装置の変形例の構成を示す模式平面図。
【発明を実施するための形態】
【００２０】
以下、本発明を具体化した実施形態について図面に従って説明する。なお、使用する図面は、説明する部分が認識可能な状態となるように、適宜拡大または縮小して表示している。本実施形態では、電気光学装置の一例として、投射型映像装置である液晶プロジェクターにおいてライトバルブとして用いられるＴＦＴ（Thin Film Transistor）アクティブマトリクス駆動方式の液晶装置を例に挙げて説明する。
【００２１】
（第１実施形態）
＜電気光学装置の構成＞
図１は、電気光学装置としての液晶装置の構成を模式的に示す斜視図である。以下、液晶装置の構成を、図１を参照しながら説明する。
【００２２】
図１に示すように、液晶装置１０は、電気光学パネルとしての液晶パネル１００と、回路基板としてのフレキシブル配線基板２００と、フレーム３００とを備えて構成されている。なお、フレーム３００は、図示しないフックによって、液晶パネル１００と固定されている。
【００２３】
液晶パネル１００の表裏面には、防塵ガラス（図示省略）が貼着される。詳述すると、防塵ガラスは、液晶パネル１００の少なくとも表示領域に塵埃等が付着することを防止するために設けられる。また、フレキシブル配線基板２００には、例えば、駆動用ＩＣ４００が搭載されている。
【００２４】
駆動用ＩＣ４００は、例えば、図示しないデータ線駆動回路の一部を含んで構成されている。また、駆動用ＩＣ４００は、ＴＡＢ（Tape Automated Bonding）技術を用いて、電気的及び機械的にフレキシブル配線基板２００に実装されている。フレキシブル配線基板２００は、例えば、ポリイミド等の絶縁性を有する基材と、基材上においてパターニング形成された配線とを有している。
【００２５】
図２は、液晶装置を構成する液晶パネルの構造を示す模式平面図である。図３は、図２に示す液晶パネルのＡ−Ａ'線に沿う模式断面図である。以下、液晶パネルの構造を、図２及び図３を参照しながら説明する。
【００２６】
図２及び図３に示すように、液晶装置１０を構成する液晶パネル１００は、例えば、薄膜トランジスター（以下、「ＴＦＴ（Thin Film Transistor）素子」と称する。）を画素のスイッチング素子として用いたＴＦＴアクティブマトリクス方式の液晶パネルである。液晶パネル１００は、一対の基板を構成する素子基板１２と対向基板１３とが、平面視略矩形枠状のシール材１４を介して貼り合わされている。
【００２７】
素子基板１２及び対向基板１３は、例えば、石英などの透光性材料によって構成されている。液晶パネル１００は、シール材１４に囲まれた領域内に液晶層１５が封入された構成になっている。なお、シール材１４には液晶を注入するための液晶注入口１６が設けられ、液晶注入口１６は封止材１７により封止されている。
【００２８】
液晶層１５としては、例えば、正の誘電率異方性を有する液晶材料が用いられる。液晶パネル１００は、シール材１４の内周近傍に沿って遮光性材料からなる平面視矩形枠状の額縁遮光膜１８が対向基板１３に形成されており、この額縁遮光膜１８の内側の領域が表示領域１９となっている。
【００２９】
額縁遮光膜１８は、例えば、遮光性材料であるアルミ（Ａｌ）で形成されており、対向基板１３側の表示領域１９の外周を区画するように設けられている。
【００３０】
表示領域１９内には、画素領域２１がマトリクス状に設けられている。画素領域２１は、表示領域１９の最小表示単位となる１画素を構成している。シール材１４の外側の領域には、データ線駆動回路２２及びパネル接続端子４１ａが素子基板１２の一辺（図２における下側）に沿って形成されている。パネル接続端子４１ａには、外部と接続するためのフレキシブル配線基板２００が電気的に接続されている。
【００３１】
また、シール材１４の内側の領域には、この一辺に隣接する二辺に沿って走査線駆動回路２４がそれぞれ形成されている。素子基板１２の残る一辺（図２における上側）には、検査回路２５が形成されている。対向基板１３側に形成された額縁遮光膜１８は、例えば、素子基板１２上に形成された走査線駆動回路２４及び検査回路２５に対向する位置（平面的に重なる位置）に形成されている。
【００３２】
一方、対向基板１３の各角部（例えば、シール材１４のコーナー部の４箇所）には、素子基板１２と対向基板１３との間の電気的導通をとるための、上下導通端子２６が配設されている。
【００３３】
また、図３に示すように、素子基板１２の液晶層１５側には、複数の画素電極２７が形成されており、これら画素電極２７を覆うように第１配向膜２８が形成されている。画素電極２７は、ＩＴＯ（Indium Tin Oxide）等の透明導電材料からなる導電膜である。
【００３４】
一方、対向基板１３の液晶層１５側には、格子状の遮光膜（ＢＭ：ブラックマトリクス）（図示せず）が形成され、その上に平面ベタ状の共通電極３１が形成されている。そして、共通電極３１上には、第２配向膜３２が形成されている。共通電極３１は、ＩＴＯ等の透明導電材料からなる導電膜である。
【００３５】
液晶パネル１００は透過型であって、素子基板１２及び対向基板１３における光の入射側と出射側とにそれぞれ偏光板（図示せず）等が配置されて用いられる。なお、液晶パネル１００の構成は、これに限定されず、反射型や半透過型の構成であってもよい。
【００３６】
図４は、液晶パネルの電気的な構成を示す等価回路図である。以下、液晶パネルの電気的な構成を、図４を参照しながら説明する。
【００３７】
図４に示すように、液晶パネル１００は、表示領域１９を構成する複数の画素領域２１を有している。各画素領域２１には、それぞれ画素電極２７が配置されている。また、画素領域２１には、ＴＦＴ素子３３が形成されている。
【００３８】
ＴＦＴ素子３３は、画素電極２７へ通電制御を行うスイッチング素子である。ＴＦＴ素子３３のソース側には、データ線３４が電気的に接続されている。各データ線３４には、例えば、データ線駆動回路２２（図２参照）から画像信号Ｓ１，Ｓ２，…，Ｓｎが供給されるようになっている。
【００３９】
また、ＴＦＴ素子３３のゲート側には、走査線３５が電気的に接続されている。走査線３５には、例えば、走査線駆動回路２４（図２参照）から所定のタイミングでパルス的に走査信号Ｇ１，Ｇ２，…，Ｇｍが供給されるようになっている。また、ＴＦＴ素子３３のドレイン側には、画素電極２７が電気的に接続されている。
【００４０】
走査線３５から供給された走査信号Ｇ１，Ｇ２，…，Ｇｍにより、スイッチング素子であるＴＦＴ素子３３が一定期間だけオン状態となることで、データ線３４から供給された画像信号Ｓ１，Ｓ２，…，Ｓｎが、画素電極２７を介して画素領域２１に所定のタイミングで書き込まれるようになっている。
【００４１】
画素領域２１に書き込まれた所定レベルの画像信号Ｓ１，Ｓ２，…，Ｓｎは、画素電極２７と共通電極３１（図３参照）との間で形成される液晶容量で一定期間保持される。なお、保持された画像信号Ｓ１，Ｓ２，…，Ｓｎがリークするのを防止するために、画素電極２７に電気的に接続された画素電位側容量電極と、容量線の一例であるシールド層（図示せず）に電気的に接続された容量電極３６との間に蓄積容量３７が形成されている。
【００４２】
このように、液晶層１５に電圧信号が印加されると、印加された電圧レベルにより、液晶分子の配向状態が変化する。これにより、液晶層１５に入射した光が変調されて、画像光が生成されるようになっている。
【００４３】
＜液晶パネル、フレキシブル配線基板の構成＞
図５は、本実施形態の液晶装置の構成を示す模式平面図である。図６は、液晶パネルとフレキシブル配線基板との接続前の状態を示す分解平面図である。以下、液晶装置、及び液晶装置を構成する液晶パネル及びフレキシブル配線基板の構造を、図５及び図６を参照しながら説明する。なお、図５及び図６に示す液晶装置１０は、フレーム３００などの図示を省略している。
【００４４】
図５に示すように、液晶装置１０は、液晶パネル１００とフレキシブル配線基板２００とが、接続端子部５１において図示しない異方性導電フィルム（ＡＣＦ：Anisotropic Conductive Film）を介して電気的に接続されている。具体的には、液晶パネル１００の素子基板１２上には、データ線駆動回路２２や走査線駆動回路２４（図２参照）と電気的に接続されている配線（データ線３４、走査線３５など）が設けられており、これら配線が接続端子部５１を介して、フレキシブル配線基板２００に設けられた駆動用ＩＣ４００や複数の外部接続端子を有する第１外部接続端子部５２に電気的に接続されている。
【００４５】
配線を介して入力される画像信号は、駆動用ＩＣ４００を介して、画像表示のためのスイッチング素子、データ線３４などの各種回路素子に供給されることによって、表示領域１９に所望の画像が表示される。
【００４６】
また、図６に示すように、液晶パネル１００の一端側には、パネル接続端子部４１が設けられている。パネル接続端子部４１には、フレキシブル配線基板２００と電気的に接続するための複数のパネル接続端子４１ａ〜４１ｚが設けられている。
【００４７】
一方、フレキシブル配線基板２００の一端側には、先端側（液晶パネル１００側）から第１回路基板端子部としての第１ＦＰＣ接続端子部４５と、第２回路基板端子部としての第２ＦＰＣ接続端子部４６とが設けられている。
【００４８】
第１ＦＰＣ接続端子部４５には、パネル接続端子部４１と電気的に接続するための複数の第１回路基板端子としての第１ＦＰＣ接続端子４５ａ〜４５ｚが設けられている。第２ＦＰＣ接続端子部４６には、パネル接続端子部４１と電気的に接続するための、第１ＦＰＣ接続端子部４５と端子配列の異なる複数の第２回路基板端子としての第２ＦＰＣ接続端子４６ａ〜４６ｚが設けられている。
【００４９】
本実施形態では、液晶パネル１００の特性に応じて最適に駆動させるため、パネル接続端子部４１と、例えば、第１ＦＰＣ接続端子部４５とを電気的に接続する。電気的な接続の説明は後述する。
【００５０】
図７は、液晶パネル及びフレキシブル配線基板の接続例を説明する模式平面図である。以下、端子配列及び接続例の具体例を、図７を参照しながら説明する。
【００５１】
図７に示すように、液晶パネル１００の第１辺１００ａ側には、上記したように、フレキシブル配線基板２００と電気的に接続するための複数のパネル接続端子４１ａ〜４１ｚが密集して配置されたパネル接続端子部４１が設けられている。
【００５２】
複数のパネル接続端子４１ａ〜４１ｚのうち、例えば、パネル接続端子４１ａ，４１ｂ，４１ｙ，４１ｚは、ＧＮＤに接続されている。
【００５３】
一方、フレキシブル配線基板２００の第１辺２００ａ側には、上記したように、液晶パネル１００と電気的に接続するための複数の第１ＦＰＣ接続端子４５ａ〜４５ｚを有する第１ＦＰＣ接続端子部４５が設けられている。また、フレキシブル配線基板２００の第１辺２００ａから離れた領域には、第１辺２００ａに沿って、複数の第２ＦＰＣ接続端子４６ａ〜４６ｚを有する第２ＦＰＣ接続端子部４６が設けられている。
【００５４】
複数の第１ＦＰＣ接続端子４５ａ〜４５ｚのうち、例えば、第１ＦＰＣ接続端子４５ａは、プルアップ抵抗（電流制限抵抗）を介して電源電圧６１と接続されている。また、複数の第２ＦＰＣ接続端子４６ａ〜４６ｚのうち、例えば、第２ＦＰＣ接続端子４６ａは、プルアップ抵抗（電流制限抵抗）を介して電源電圧６１と接続されている。電源電圧６１は、例えば、３．３Ｖである。また、第１ＦＰＣ接続端子４５ｚと第２ＦＰＣ接続端子４６ｚとは、ＧＮＤに接続されている。
【００５５】
まず、液晶パネル１００のパネル接続端子部４１と、フレキシブル配線基板２００の先端側に配置された第１ＦＰＣ接続端子部４５とを電気的に接続した場合を説明する。第１ＦＰＣ接続端子４５ａは、ＧＮＤと繋がっているパネル接続端子４１ａと電気的に接続されるので、シグナルＡの信号は「Ｌｏｗ」となる。また、第１ＦＰＣ接続端子４５ｂは、端子が無くパネル接続端子４１ｂと電気的に接続されないので、オープンの状態となり、シグナルＢの信号は「Ｈｉ」となる。
【００５６】
次に、液晶パネル１００のパネル接続端子部４１と、フレキシブル配線基板２００の先端から２番目に配置された第２ＦＰＣ接続端子部４６とを電気的に接続した場合を説明する。なお、この場合、フレキシブル配線基板２００の第２ＦＰＣ接続端子部４６より先端側を切断して貼り付ける（接続する）ものとする。これにより、液晶パネル１００の表示領域に悪影響を与えることなく、パネル接続端子部４１と第２ＦＰＣ接続端子部４６とを電気的に接続させることができる。
【００５７】
第２ＦＰＣ接続端子４６ａはパネル接続端子４１ａと接続する端子が無いため、シグナルＡは「Ｈｉ」となる。また、第２ＦＰＣ接続端子４６ｂは、ＧＮＤと繋がっているパネル接続端子４１ｂと電気的に接続されるので、シグナルＢは「Ｌｏｗ」となる。
【００５８】
このように、ＦＰＣ接続端子毎に出力される信号（「Ｈｉ」／「Ｌｏｗ」）を異ならせることにより、液晶パネル１００の機種を識別することが可能となる。よって、液晶パネル１００の特性に合わせて、液晶装置１０を最適に駆動させることができる。以下、液晶パネル１００とフレキシブル配線基板２００とを接続する工程を含む液晶装置１０の製造方法を説明する。
【００５９】
＜電気光学装置の製造方法＞
図８は、液晶装置の製造方法を工程順に示すフローチャートである。図９及び図１０は、液晶装置の製造方法のうち一部の工程を示す模式平面図である。以下、液晶装置の製造方法を、図８〜図１０を参照しながら説明する。
【００６０】
最初に、素子基板１２側の製造方法を説明する。ステップＳ１１では、石英基板などからなる素子基板１２上にＴＦＴ素子３３等を形成する。具体的には、周知の成膜技術、フォトリソグラフィ技術及びエッチング技術を用いて、素子基板１２上にＴＦＴ素子３３などを形成する。
【００６１】
ステップＳ１２では、画素電極２７を形成する。具体的には、ＴＦＴ素子３３等の形成と同様に、周知の成膜技術、フォトリソグラフィ技術及びエッチング技術を用いて、素子基板１２上のＴＦＴ素子３３の上方に画素電極２７を形成する。
【００６２】
ステップＳ１３では、画素電極２７の上方に第１配向膜２８を形成する。第１配向膜２８の製造方法としては、例えば、酸化シリコン（ＳｉＯ2）などの無機材料を斜方蒸着する斜方蒸着法が用いられる。以上により、素子基板１２側が完成する。
【００６３】
次に、対向基板１３側の製造方法を説明する。まず、ステップＳ２１では、石英基板等の透光性材料からなる対向基板１３上に、周知の成膜技術、フォトリソグラフィ技術及びエッチング技術を用いて、共通電極３１を形成する。
【００６４】
ステップＳ２２では、共通電極３１上に第２配向膜３２を形成する。第２配向膜３２の製造方法は、第１配向膜２８と同様であり、例えば、斜方蒸着法を用いる。以上により、対向基板１３側が完成する。次に、素子基板１２と対向基板１３とを貼り合わせる方法を説明する。
【００６５】
ステップＳ３１では、素子基板１２上にシール材１４を塗布する。詳しくは、素子基板１２とディスペンサー（吐出装置でも可能）との相対的な位置関係を変化させて、素子基板１２における表示領域１９の周縁部に（表示領域１９を囲むように）シール材１４を塗布する。
【００６６】
ステップＳ３２では、素子基板１２と対向基板１３とを貼り合わせる。具体的には、素子基板１２に塗布されたシール材１４を介して素子基板１２と対向基板１３とを貼り合わせる。より具体的には、互いの基板１２，１３の平面的な縦方向や横方向の位置精度を確保しながら行う。
【００６７】
ステップＳ３３では、液晶注入口１６（図２参照）から構造体の内部に液晶を注入し、その後、液晶注入口１６を封止する。封止には、例えば、樹脂等の封止材１７が用いられる。
【００６８】
ステップＳ３４では、液晶パネル１００にフレキシブル配線基板２００を接続（接合）する。具体的には、図９及び図１０を参照しながら説明する。まず、図９（ａ）に示すように、切断されていないフレキシブル配線基板２０１、つまり、第１ＦＰＣ接続端子部４５及び第２ＦＰＣ接続端子部４６が設けられたフレキシブル配線基板２０１を準備する。
【００６９】
なお、第１ＦＰＣ接続端子部４５から第１外部接続端子部５２までの長さＬ１（離間した第１距離）と、第２ＦＰＣ接続端子部４６から複数の外部接続端子を有する第２外部接続端子部５３までの長さＬ２（離間した第１距離）とは、同じ長さになるようにそれぞれの端子部が配置されている。
【００７０】
次に、液晶パネル１００の特性に合わせて、液晶パネル１００に接続するフレキシブル配線基板２０１のＦＰＣ接続端子部４５，４６を選択する。ここでは、例えば、パネル接続端子部４１と第１ＦＰＣ接続端子部４５とを電気的に接続する。
【００７１】
次に、図９（ｂ）に示すように、接続するＦＰＣ接続端子部がフレキシブル配線基板２０１の先端２００ｂに配置されるよう、不要な部分を切断する。なお、本実施形態では、接続する第１ＦＰＣ接続端子部４５が、既にフレキシブル配線基板２０１の先端２００ｂに配置されるので、先端２００ｂ側の領域は切断しなくてもよい。
【００７２】
その後、フレキシブル配線基板の長さを所定の長さにするために、フレキシブル配線基板２０１の他端側の先端２００ｃ（第２辺）において、第１外部接続端子部５２より先端側の領域（第２外部接続端子部５３の領域）を切断する。
【００７３】
次に、図１０に示すように、液晶パネル１００のパネル接続端子部４１に、フレキシブル配線基板２００の第１ＦＰＣ接続端子部４５を接続する。例えば、図示しないＡＣＦを介してパネル接続端子部４１と第１ＦＰＣ接続端子部４５とを熱圧着することにより、液晶パネル１００にフレキシブル配線基板２００を電気的に接続する。以上により、液晶装置１０が完成する。
【００７４】
このように、液晶パネル１００の特性（種類）に応じて接続するＦＰＣ接続端子部４５，４６を選択し、例えば、パネル接続端子部４１にフレキシブル配線基板２００の第１ＦＰＣ接続端子部４５を接続する場合、この液晶パネル１００の種類を、例えば「パネルＡ」と判断することができ、この液晶パネル１００に合わせて液晶装置１０を補正して駆動させることにより、液晶パネル１００の駆動に最適な補正を行うことができる。
【００７５】
＜電子機器の構成＞
図１１は、上記した液晶装置を備えた電子機器の一例として液晶プロジェクターの構成を示す模式図である。以下、液晶装置を備えた液晶プロジェクターの構成を、図１１を参照しながら説明する。
【００７６】
図１１に示すように、液晶プロジェクター９０１は、上記した液晶装置１０が採用された液晶モジュールを３つ配置し、それぞれＲＧＢ用のライトバルブ９１１Ｒ，９１１Ｇ，９１１Ｂとして用いた構造となっている。
【００７７】
詳しくは、メタルハイドロランプ等の白色光源のランプユニット９１２から投射光が発せられると、３枚のミラー９１３及び２枚のダイクロイックミラー９１４によって、ＲＧＢの三原色に対応する光成分Ｒ，Ｇ，Ｂに分けられ、各色に対応するライトバルブ９１１Ｒ，９１１Ｇ，９１１Ｂにそれぞれ導かれる。特に光成分Ｂは、長い光路による光損失を防ぐために、入射レンズ９１５、リレーレンズ９１６、出射レンズ９１７からなるリレーレンズ系９１８を介して導かれる。
【００７８】
ライトバルブ９１１Ｒ，９１１Ｇ，９１１Ｂによりそれぞれ変調された三原色に対応する光成分Ｒ，Ｇ，Ｂは、ダイクロイックプリズム９１９により再度合成された後、投射レンズ９２０を介して、スクリーン９２１にカラー画像として投射される。
【００７９】
なお、上記したように、３つの液晶モジュールを配置した液晶プロジェクター９０１に限定されず、例えば、１つの液晶モジュールを配置した液晶プロジェクターに適用するようにしてもよい。
【００８０】
このような構成の液晶プロジェクター９０１は、上記した液晶装置１０が採用された液晶モジュールを介すことによって、かかるコストを抑え、効率よく組み立てることができる。なお、液晶装置１０を備えた電子機器は、上記した液晶プロジェクター９０１の他、高精細ＥＶＦ（Electric View Finder）、携帯電話機、モバイルコンピューター、デジタルカメラ、デジタルビデオカメラ、テレビ、ディスプレイ、車載機器、オーディオ機器、照明機器などの各種電子機器に用いることができる。
【００８１】
以上詳述したように、第１実施形態の液晶装置１０、及び電子機器によれば、以下に示す効果が得られる。
【００８２】
（１）第１実施形態の液晶装置１０によれば、フレキシブル配線基板２００の第１ＦＰＣ接続端子部４５又は第２ＦＰＣ接続端子部４６を選択して液晶パネル１００のパネル接続端子部４１と電気的に接続するので、端子配列の異なる第１ＦＰＣ接続端子部４５又は第２ＦＰＣ接続端子部４６との接続により液晶パネル１００の機種を容易に判別することが可能となり、判別した液晶パネル１００毎の特性に合わせて、液晶装置１０を適正に駆動させることができる。
【００８３】
（２）第１実施形態の液晶装置１０によれば、長さＬ１をあけて（離間して）第１ＦＰＣ接続端子部４５と第１外部接続端子部５２、長さＬ１と同じ長さの長さＬ２をあけて（離間して）第２ＦＰＣ接続端子部４６と第２外部接続端子部５３が設けられているので、第１ＦＰＣ接続端子部４５を選択した場合は第２外部接続端子部５３の領域を切断し、第２ＦＰＣ接続端子部４６を選択した場合は第１ＦＰＣ接続端子部４５の領域を切断することにより、フレキシブル配線基板２００の長さを同じにすることができる。よって、第１ＦＰＣ接続端子部４５又は第２ＦＰＣ接続端子部４６のどちらを選択した場合でも、フレキシブル配線基板２００の長さを統一することができる。
【００８４】
（３）第１実施形態の液晶装置１０によれば、液晶パネル１００の機種に合わせて専用のフレキシブル配線基板２００を作製せずに済み、フレキシブル配線基板２００の在庫管理が楽になったり、フレキシブル配線基板２００にかかる工数やコストを抑えたりすることができる。
【００８５】
（４）第１実施形態の電子機器によれば、上記のような液晶装置１０を備えているので、液晶パネル１００を適正に補正して駆動させることが可能となり、表示品質を向上させることができる電子機器を提供することができる。
【００８６】
（第２実施形態）
＜液晶パネル、フレキシブル配線基板の構成＞
図１２は、第２実施形態の液晶パネルとフレキシブル配線基板との接続前の状態を示す分解平面図である。以下、第２実施形態の液晶装置を構成する液晶パネル及びフレキシブル配線基板の構造を、図１２を参照しながら説明する。
【００８７】
第２実施形態の液晶装置５００は、液晶パネル５１０の機種を識別するための選択用端子が液晶パネル５１０側に設けられている部分が、第１実施形態と異なっている。以下、第１実施形態と同じ構成部材には同一符号を付し、ここではそれらの説明を省略又は簡略化する。
【００８８】
図１２に示すように、第２実施形態の液晶装置５００には、液晶パネル５１０の第１辺５１０ａに沿って、複数の第１パネル接続端子５１１ｂ〜５１１ｚを備える第１パネル接続端子部５１１が設けられている。更に、第１パネル接続端子５１１ｂ〜５１１ｚの配列方向に沿って、複数の第２パネル接続端子５１２ａ〜５１２ｚを備える第２パネル接続端子部５１２が設けられている。
【００８９】
第１パネル接続端子部５１１と第２パネル接続端子部５１２とは、端子５１１ｂ，５１２ａの配列が異なっており、液晶パネル５１０の特性の違いによって、パネル接続端子部５１１，５１２のどちらか一方とフレキシブル配線基板５２０とが電気的に接続される。
【００９０】
フレキシブル配線基板５２０には、パネル接続端子部５１１，５１２と電気的に接続するために、第１辺５２０ａに沿って、複数の回路基板端子としてのＦＰＣ接続端子５２１ａ〜５２１ｚを備える回路基板端子部としてのＦＰＣ接続端子部５２１が設けられている。以下、液晶パネル５１０とフレキシブル配線基板５２０との接続例を説明する。
【００９１】
液晶パネル５１０の第１辺５１０ａに沿って設けられた第１パネル接続端子部５１１では、複数の第１パネル接続端子５１１ｂ〜５１１ｚのうち、例えば、第１パネル接続端子５１１ｂ及び第１パネル接続端子５１１ｚは、ＧＮＤ（低電位電源）に接続されている。また、第２パネル接続端子部５１２では、複数の第２パネル接続端子５１２ａ〜５１２ｚのうち、例えば、第２パネル接続端子５１２ａ及び第２パネル接続端子５１２ｚは、ＧＮＤに接続されている。
【００９２】
一方、フレキシブル配線基板５２０の第１辺５２０ａ側には、パネル接続端子部５１１，５１２と電気的に接続するべく、複数のＦＰＣ接続端子５２１ａ〜５２１ｚを備えるＦＰＣ接続端子部５２１が設けられている。
【００９３】
複数のＦＰＣ接続端子５２１ａ〜５２１ｚのうち、例えば、ＦＰＣ接続端子５２１ａ及びＦＰＣ接続端子５２１ｂは、それぞれプルアップ抵抗（電流制限抵抗）を介して電源電圧５６１（高電位電源）と接続されている。電源電圧５６１は、例えば、３．３Ｖである。また、ＦＰＣ接続端子５２１ｚは、ＧＮＤに接続されている。
【００９４】
まず、液晶パネル５１０の第１パネル接続端子部５１１とフレキシブル配線基板５２０のＦＰＣ接続端子部５２１とを電気的に接続した場合を説明する。ＦＰＣ接続端子５２１ａは、第１パネル接続端子と電気的に接続されないのでオープン状態となり、シグナルＡは「Ｈｉ」となる。ＦＰＣ接続端子５２１ｂは、ＧＮＤと繋がっている第１パネル接続端子５１１ｂと電気的に接続されるので、シグナルＢは「Ｌｏｗ」となる。なお、ＦＰＣ接続端子５２１ｚは、「Ｌｏｗ」に固定されている。
【００９５】
また、液晶パネル５１０の第２パネル接続端子部５１２とフレキシブル配線基板５２０のＦＰＣ接続端子部５２１とを電気的に接続した場合を説明する。ＦＰＣ接続端子５２１ａは、ＧＮＤと繋がっている第２パネル接続端子５１２ａと電気的に接続されるので、シグナルＡは「Ｌｏｗ」となる。ＦＰＣ接続端子５２１ｂは、第２パネル接続端子と電気的に接続されないのでオープン状態となり、シグナルＢは「Ｈｉ」となる。なお、ＦＰＣ接続端子５２１ｚは、「Ｌｏｗ」に固定されている。
【００９６】
このように、ＦＰＣ接続端子５２１ａ〜５２１ｚ毎に出力される信号（「Ｈｉ」／「Ｌｏｗ」）を異ならせることにより、液晶パネル５１０の機種を識別することが可能となる。よって、液晶パネル５１０の特性に合わせて、液晶装置５００を最適に駆動させることができる。
【００９７】
このように、液晶パネル５１０の特性（種類）に応じて接続するパネル接続端子部５１１，５１２を選択し、例えば、第２パネル接続端子部５１２にフレキシブル配線基板５２０を接続する場合、この液晶パネルの種類は「パネルＢ」と判断され、この液晶パネル５１０に合わせて液晶装置５００を駆動させることが可能となり、液晶パネル５１０の駆動に最適な補正を加えることができる。
【００９８】
以上詳述したように、第２実施形態の液晶装置５００によれば、以下に示す効果が得られる。
【００９９】
（５）第２実施形態の液晶装置５００によれば、液晶パネル５１０の第１パネル接続端子部５１１又は第２パネル接続端子部５１２を選択してフレキシブル配線基板５２０のＦＰＣ接続端子部５２１と電気的に接続するので、端子配列の異なる第１パネル接続端子部５１１又は第２パネル接続端子部５１２との接続により液晶パネル５１０の機種を容易に判別することが可能となり、液晶パネル５１０毎の特性に合わせて、液晶装置５００を適正に駆動させることができる。また、フレキシブル配線基板５２０を切断することなく液晶パネル５１０に接続することができる。
【０１００】
なお、実施形態は上記に限定されず、以下のような形態で実施することもできる。
【０１０１】
（変形例１）
上記したように、第２実施形態の液晶パネル５１０は、第１パネル接続端子部５１１と第２パネル接続端子部５１２とにおいて、各端子が同じ極性であれば、図１３に示すような端子形状にしてもよい。図１３は、液晶パネル５３０とフレキシブル配線基板５２０との接続前の状態を示す分解平面図である。
【０１０２】
具体的には、図１３に示すように、第１パネル接続端子部５１１には、液晶パネル５３０の機種の判別に用いられる第１パネル接続端子５１１ｂが設けられている。一方、第２パネル接続端子部５１２には、液晶パネル５３０の機種の判別に用いられる第２パネル接続端子５１２ａが設けられている。また、液晶パネル５３０の機種の判別に影響のない部分には、第１パネル接続端子部５１１の領域から第２パネル接続端子部５１２の領域に亘って、パネル接続端子５１３ｖが長く繋がって設けられている。同様に、例えば、パネル接続端子５１３ｗ〜パネル接続端子５１３ｚのそれぞれが、第１パネル接続端子部５１１の領域から第２パネル接続端子部５１２の領域に亘って設けられている。
【０１０３】
このようなパネル接続端子５１３ｖ〜５１３ｚを設けることにより、液晶パネル５３０にフレキシブル配線基板５２０を貼り付ける際、液晶パネル５３０の機種（特性）によって、第１パネル接続端子部５１１から第２パネル接続端子部５１２の領域でのずらし量によって、第１パネル接続端子５１１ｂ又は第２パネル接続端子５１２ａと電気的に接続させることが可能となり、機種を判別させる（入力状態を決定する）ことができる。
【０１０４】
これによれば、上記実施形態と同様に、液晶パネル５３０に合わせて液晶装置５５０を駆動させることが可能となり、液晶パネル５３０の駆動に最適な補正を加えることができる。
【０１０５】
（変形例２）
上記した第１実施形態のように、第１ＦＰＣ接続端子部４５又は第２ＦＰＣ接続端子部４６のどちらかを選択して液晶パネル１００の機種を判別することに限定されず、例えば、図１４に示すよう液晶装置６００，７００の構成にしてもよい。
【０１０６】
具体的には、図１４（ａ）に示すように、フレキシブル配線基板６２０は、フレキシブル配線基板６２０の先端側（液晶パネル１００側）から第１ＦＰＣ接続端子部６０１と、第２ＦＰＣ接続端子部６０２と、第３ＦＰＣ接続端子部６０３との３つを備えている。また、図１４（ｂ）に示すように、フレキシブル配線基板７２０は、フレキシブル配線基板７２０の先端側（液晶パネル１００側）から第１ＦＰＣ接続端子部（図示せず）と、第２ＦＰＣ接続端子部（図示せず）と、第３ＦＰＣ接続端子部７０３との３つを備えている。
【０１０７】
図１４（ａ）に示すように、第１ＦＰＣ接続端子部６０１を選択した場合、他端側の第１外部接続端子部５２より先端側を切断して、第１外部接続端子部５２を他端側に配置する。このとき、一端（第１ＦＰＣ接続端子部６０１）から他端（第１外部接続端子部５２）までの長さをＬ３とする。
【０１０８】
一方、図１４（ｂ）に示すように、第３ＦＰＣ接続端子部７０３を選択した場合、他端側の第３外部接続端子部５４を使用するため、他端側は切断しない。このとき、一端（第３ＦＰＣ接続端子部７０３）から他端（第３外部接続端子部５４）までの長さをＬ４とする。図１４（ａ）に示すフレキシブル配線基板６２０の長さＬ３と、図１４（ｂ）に示すフレキシブル配線基板７２０の長さＬ４とは同じ長さであり、長さを統一することができる。このように各端子部を増やした液晶装置６００，７００を構成するようにしてもよい。
【符号の説明】
【０１０９】
１０，５００，５５０，６００，７００…電気光学装置としての液晶装置、１２…素子基板、１３…対向基板、１４…シール材、１５…液晶層、１６…液晶注入口、１７…封止材、１８…額縁遮光膜、１９…表示領域、２１…画素領域、２２…データ線駆動回路、２４…走査線駆動回路、２５…検査回路、２６…上下導通端子、２７…画素電極、２８…第１配向膜、３１…共通電極、３２…第２配向膜、３３…ＴＦＴ素子、３４…データ線、３５…走査線、３６…容量電極、３７…蓄積容量、４１…パネル接続端子部、４１ａ〜４１ｚ，５１３ｖ〜５１３ｚ…パネル接続端子、４５…第１回路基板端子部としての第１ＦＰＣ接続端子部、４５ａ〜４５ｚ…第１回路基板端子としての第１ＦＰＣ接続端子、４６…第２回路基板端子部としての第２ＦＰＣ接続端子部、４６ａ〜４６ｚ…第２回路基板端子としての第２ＦＰＣ接続端子、５１…接続端子部、５２…第１外部接続端子部、５３…第２外部接続端子部、５４…第３外部接続端子部、６１，５６１…電源電圧、１００，５１０，５３０…電気光学パネルとしての液晶パネル、１００ａ，２００ａ，５１０ａ，５２０ａ…第１辺、２００，２０１，５２０，６２０，７２０…回路基板としてのフレキシブル配線基板、２００ｂ，２００ｃ…先端（第２辺）、３００…フレーム、４００…駆動用ＩＣ、５１１…第１パネル接続端子部、５１１ｂ〜５１１ｚ…第１パネル接続端子、５１２…第２パネル接続端子部、５１２ａ〜５１２ｚ…第２パネル接続端子、５２１…回路基板端子部としてのＦＰＣ接続端子部、５２１ａ〜５２１ｚ…回路基板端子としてのＦＰＣ接続端子、６０１…第１ＦＰＣ接続端子部、６０２…第２ＦＰＣ接続端子部、６０３，７０３…第３ＦＰＣ接続端子部、９０１…液晶プロジェクター、９１１Ｒ，９１１Ｇ，９１１Ｂ…ライトバルブ、９１２…ランプユニット、９１３…ミラー、９１４…ダイクロイックミラー、９１５…入射レンズ、９１６…リレーレンズ、９１７…出射レンズ、９１８…リレーレンズ系、９１９…ダイクロイックプリズム、９２０…投射レンズ、９２１…スクリーン。
【図１】
2013011788.tif 000003
【図２】
2013011788.tif 000004
【図３】
2013011788.tif 000005
【図４】
2013011788.tif 000006
【図５】
2013011788.tif 000007
【図６】
2013011788.tif 000008
【図７】
2013011788.tif 000009
【図８】
2013011788.tif 000010
【図９】
2013011788.tif 000011
【図１０】
2013011788.tif 000012
【図１１】
2013011788.tif 000013
【図１２】
2013011788.tif 000014
【図１３】
2013011788.tif 000015
【図１４】
2013011788.tif 000016